(57)【要約】【課題】セルフサービス給油所、フルサービス給油所など態様の異なる給油所にとって、また、給油装置のレイアウトの異なる給油所にとっても、それぞれの給油所の態様に適した位置に自由に情報表示器を配置でき、それぞれの給油所の要求に柔軟に応えることのできる給油装置を得る。【解決手段】門型フレーム２内の下部に給油機構を配設した給油機ケース３を配置し、この給油機ケース３の上に給油量など給油情報を表示する給油量表示計８やカードリーダーなどを配設した操作パネル４を配置し、この操作パネル４の上方で門型フレーム２内の上部に形成される空間５内の任意位置に薄型で大型の情報表示器１４を配設した。【選択図】        図１
2006008229.tif 000002
【特許請求の範囲】
【請求項１】
門型フレーム内の下部に給油機構を配設した給油機ケースを配置し、この給油機ケースの上に給油量など給油情報を表示する表示器やカードリーダーなどを配設した操作パネルを配置し、この操作パネルの上方で門型フレーム内の上部に形成される空間内の任意位置に薄型で大型の情報表示器を配設したことを特徴とする給油装置。
【請求項２】
前記情報表示器は、セルフサービス給油所においては、非給油時にはキャンペーン情報を表示し、給油客を検知すると給油操作案内表示に切り換わることを特徴とする請求項１記載の給油装置。
【請求項３】
前記情報表示器は、フルサービス給油所においては、非給油時にはキャンペーン情報を表示し、車両を検知すると交通や天気などの情報表示に切り換わることを特徴とする請求項１記載の給油装置。
【発明の詳細な説明】
【技術分野】
【０００１】
本発明は、給油所に設置され、給油操作案内や交通情報などの情報表示を行う情報表示器を設けた給油装置に関するものである。
【背景技術】
【０００２】
自動車へのガソリンなどの燃料補給を行う給油所には、給油客が自分で給油するセルフサービスの給油所と、作業員が給油を行うフルサービス給油所とがあり、セルフサービス給油所では、給油客に対して給油操作案内を行い、また、フルサービス給油所では給油中の待ち時間に交通情報などの情報を給油客に提供している。
【０００３】
前記給油操作案内や情報表示は、いずれも例えば画面表示器などを備えた案内装置により行われている（例えば特許文献１参照）。
【０００４】
この案内装置を備えた給油装置は、高さの比較的低い給油機ケースをロッカー状に横に３台併設し、その上方を門型に囲んで給油機ケース上に案内装置を配置したもので、案内装置に給油設定表示画面を兼用する表示画面が設けてある。
【特許文献１】特開平７−１３２９９７号公報
【発明の開示】
【発明が解決しようとする課題】
【０００５】
前記従来例では、給油設定、給油操作案内、キャンペーン情報の表示などの全てが給油機ケース上に設置した表示画面で兼用されて表示される。しかしながら、この表示画面は給油機ケースに付設され、給油地点で給油客や作業員が見ることを想定しているものであるため、表示画面サイズが小さく、車内から情報表示を読み取るには見づらいなどの不都合があった。
【０００６】
また、セルフサービス給油所、フルサービス給油所など給油所の態様によって表示画面の見やすい設置位置が異なり、給油所によっても給油装置の設置レイアウトが異なるため、これに追随して表示画面の設置位置にも自由度が求められている。
【０００７】
本発明の目的は前記従来例の不都合を解消するものとして、セルフサービス給油所、フルサービス給油所など態様の異なる給油所にとって、また、給油装置のレイアウトの異なる給油所にとっても、それぞれの給油所の態様に適した位置に自由に情報表示器を配置でき、それぞれの給油所の要求に柔軟に応えることのできる給油装置を提供することにある。
【課題を解決するための手段】
【０００８】
本発明の目的は前記従来例の不都合を解消するものとして、請求項１記載の発明は、門型フレーム内の下部に給油機構を配設した給油機ケースを配置し、この給油機ケースの上に給油量など給油情報を表示する表示器やカードリーダーなどを配設した操作パネルを配置し、この操作パネルの上方で門型フレーム内の上部に形成される空間内の任意位置に薄型で大型の情報表示器を配設したことを要旨とするものである。
【０００９】
請求項１記載の本発明によれば、情報表示器の設置位置を門型フレーム内の上部の任意位置とすることで、各給油所の要求に対応する位置に情報表示器を設置でき、給油客や作業員にとって見やすい位置に配置できる。また、情報表示器は、これを薄型のものとすることで、軽量化を図ることができ、門型フレーム内の任意位置に自由に配置できる。そして、大型とすることで、道路を走行中の自動車に対しても情報提供でき、給油所の存在をアピールできる。
【００１０】
請求項２記載の発明は、前記情報表示器は、セルフサービス給油所においては、非給油時にはキャンペーン情報を表示し、給油客を検知すると給油操作案内表示に切り換わることを要旨とするものである。
【００１１】
請求項２記載の本発明によれば、セルフサービス給油所においては、給油装置の前に立てば、給油操作案内が目前の大型の表示画面に自動的に表示されるから、セルフ客にとって給油操作がわかりやすい。また、キャンペーン情報も大型の表示画面に表示されるから、道路を走行中の自動車に対して容易に注意を喚起できる。
【００１２】
請求項３記載の発明は、前記情報表示器は、フルサービス給油所においては、非給油時にはキャンペーン情報を表示し、車両を検知すると交通や天気などの情報表示に切り換わることを要旨とするものである。
【００１３】
請求項３記載の本発明によれば、キャンペーン情報も大型の表示画面に表示されるから、道路を走行中の自動車に対して容易に注意を喚起できるだけでなく、給油中も車内からでも表示画面を容易に看取できるから交通や天気などの情報を収集できる。
【発明の効果】
【００１４】
以上述べたように本発明の給油装置は、セルフサービス給油所、フルサービス給油所など給油所の態様が異なっても、また、給油装置のレイアウトが異なる場合であっても、それぞれの給油所の態様に適した位置に自由に情報表示器を配置でき、それぞれの給油所の要求に柔軟に応えることができるものである。
【発明を実施するための最良の形態】
【００１５】
以下、図面について本発明の実施形態を詳細に説明する。図１は本発明の給油装置の第１実施形態を示す正面図で、図中１は給油所の敷地内に設けたアイランド上に立設する地上固定式の給油装置を示す。
【００１６】
給油装置１は門型フレーム２内の下部に例えば３台の給油機ケース３を横に並べて配置し、この給油機ケース３の上に操作パネル４を配設し、この操作パネル４の上方には門型フレーム２内で空間５を形成した。この空間５は図示の例では門型フレーム２内の約３分の１の容積を占める程度の大きなものに形成する。
【００１７】
給油機ケース３内には図示は省略するが、給油機構として地下タンクから立ち上がる配管途中に給油ポンプ、流量パルス発信器を付設する流量計を設け、給油機ケース３の前面にはノズル掛け６を設け、先端に給油ノズル７を設けた給油ホース９を門型フレーム２の上部から吊り降ろした。
【００１８】
ノズル掛け６には給油ノズル７の掛け外しで作動するノズルスイッチ（図１では図示は省略した）６ａを設け、このノズルスイッチ６ａの出力、すなわち、ノズル掛け６からの給油ノズル７の掛け外しで給油ポンプを駆動するようにした。
【００１９】
操作パネル４には、給油量、給油金額および単価を表示する給油量表示計８、油種選択ボタン１０、カードリーダー１１、タッチパネル１２、インターフォン１３などを設ける。
【００２０】
そして、門型フレーム２内の前記上方の空間５内の任意の位置、第１実施形態では図１に示すように門型フレーム２の上部から横細長の薄型で大型の液晶表示器で構成する情報表示器１４を垂設した。
【００２１】
さらに、図１では省略するが、給油装置１の近傍にセルフサービスの給油所の場合は、給油客を検知する人体検知器１５を、フルサービスの給油所の場合は車両検知器１６をそれぞれ設置する。
【００２２】
図２に示すように給油機ケース３内に設けた制御装置１７には、給油ポンプ１８のポンプ駆動手段１８ａ、給油量表示計８の表示計駆動手段８ａ、情報表示器１４の表示器駆動手段１４ａが形成され、また、流量パルス発信器１９の流量信号を受けて給油量を算出する計数手段２０、および切換手段２１が設けられる。
【００２３】
前記切換手段２１の入力側には、情報表示器１４に表示する表示内容をキャンペーン情報から操作案内に切り替えるための切換信号を出力する人体検知器１５、キャンペーン情報から交通や天気などの情報表示に切り替えるための切換信号を出力する車両検知器１６が接続され、また、交通情報や天気情報、観光情報などを記憶したサーバー２２からの情報信号、給油所毎のキャンペーン情報を記憶しているＰＯＳ（給油所用データ入出力装置）２３からの情報信号、および給油操作案内を記憶している記憶手段２４からの操作案内信号が導入される。
【００２４】
次に給油装置１をセルフサービス給油所に設置した場合について動作を図３のフローチャートに基づいて説明すると、給油客がいないときは、切換手段２１を介して情報表示器１４はＰＯＳ２３に接続され、ＰＯＳ２３からのキャンペーン情報が大型の情報表示器１４に表示されている。よって、道路を走行中の自動車からもこのキャンペーン情報を容易に看取でき、給油所の存在をアピールできるとともに顧客勧誘に役立つ。
【００２５】
給油のために自動車が給油所内に進入し、給油装置１の前の給油地点に停止して給油客が自動車から降りて給油装置１の前に移動すると、人体検知器１５が給油客を検知し、人体検知信号が切換手段２１に入力する（ステップ１）。人体検知信号を受けて、切換手段２１の働きで記憶手段２４が情報表示器１４に接続され、情報表示器１４にはキャンペーン情報に代えて給油操作案内が表示される（ステップ２）。
【００２６】
この給油操作案内は、例えば「静電気除去パッドに触れた後に給油設定を行って下さい。」「支払い方法を選択して下さい。」「油種を選択して下さい。」「給油方法を選択して下さい。」「キャップを外して給油口に挿入して下さい。」「給油が開始します。」などの文字を情報表示器１４の表示画面に順次表示することで行う。
【００２７】
給油客はこの表示を見て、これに従い操作パネル４から給油設定を行い（ステップ３）、ノズル掛け６から給油ノズル７を外せば、これに連動してノズルスイッチ６ａがオンし（ステップ４）、ノズルスイッチ６ａからのオン信号がポンプ駆動手段１８ａに入力して給油ポンプ１８がオンすると同時に、計数手段２０に入力して給油量表示計８に表示されている前回の給油量が帰零され、また、情報表示器１４に表示されていた給油操作案内がオフする（ステップ５）。
【００２８】
ここで情報表示器１４の表示を消すようにしたのは、給油中に表示画面の表示に注意がいって給油操作を誤ることの発生を防止し、給油中の安全を確保するためである。なお、表示を注意事項などの固定表示に切り替えることも可能である。
【００２９】
給油中は流量パルス発信器１９からのパルス信号が計数手段２０に入力されて（ステップ６）、ここで給油量が計数され（ステップ７）給油量表示計８に表示される。
【００３０】
所定量を給油したならば、給油ノズル７をノズル掛け６に戻せばノズルスイッチ６ａがオフし（ステップ８）、このオフ信号がポンプ駆動手段１８ａに入力して給油ポンプ１８が停止すると同時に、切換手段２１に入力して情報表示器１４が再度オンしてキャンペーン情報が表示されるようになる（ステップ９）。この状態で次の給油客を待つ。
【００３１】
次に給油装置１をフルサービス給油所に設置した場合について動作を図４のフローチャートに基づいて説明すると、給油客がいないときは、切換手段２１を介して情報表示器１４はＰＯＳ２３に接続され、ＰＯＳ２３からのキャンペーン情報が大型の情報表示器１４に表示されている。よって、道路を走行中の自動車からもこのキャンペーン情報を容易に看取でき、給油所の存在をアピールできるとともに顧客勧誘に役立つ。
【００３２】
給油のために自動車が給油所内に進入し、給油装置１の前の給油地点に停止すると、車両検知器１６が自動車の存在を検知し、車両検知信号が切換手段２１に入力する（ステップ１０）。切換手段２１はこの車両検知信号を受けて入力側をサーバー２２に切り替える。これにより、情報表示器１４に今まで表示されていたキャンペーン情報が消えて、サーバー２２からの交通・観光・天気などの情報が情報表示器１４に表示される（ステップ１１）。
【００３３】
よって、給油所の作業員が操作パネル４から給油設定を行い（ステップ１２）、ノズル掛け６から給油ノズル７を外せば、これに連動してノズルスイッチ６ａがオンし（ステップ１３）、ノズルスイッチ６ａからのオン信号がポンプ駆動手段１８ａに入力して給油ポンプ１８がオンすると同時に、計数手段２０に入力して給油量表示計８に表示されている前回の給油量が帰零される（ステップ１４）。
【００３４】
給油中は流量パルス発信器１９からのパルス信号が計数手段２０に入力されて（ステップ１５）、ここで給油量が計数され（ステップ１６）給油量表示計８に表示される。
【００３５】
所定量を給油したならば、給油ノズル７をノズル掛け６に戻せばノズルスイッチ６ａがオフし（ステップ１７）、このオフ信号がポンプ駆動手段１８ａに入力して給油ポンプ１８が停止して給油が終了する。
【００３６】
この給油中、情報表示器１４には前記のように交通・観光・天気などの情報が表示されているから、給油客はこの情報を見て給油が終了するのを待つ。この情報には、前記の他に、近辺の道路の渋滞情報や、付近の案内情報などを適宜表示することも可能であり、給油客に役立つと思われる情報提供ができる。この場合、情報表示器１４は大型であるから、車内のどの位置からでも見やすいものになる。
【００３７】
給油終了により給油ノズル７をノズル掛け６に戻すことで出力するノズルスイッチ６ａからのオフ信号は、同時に、切換手段２１に入力してサーバー２２からの情報信号に代えてＰＯＳ２３からの情報信号を情報表示器１４に出力するようになり、給油終了後は情報表示器１４にはキャンペーン情報が表示されるようになる（ステップ１８）。そして、この状態で次の給油客を待つ。
【００３８】
図５は第２実施形態を示し、情報表示器１４の設置位置として、門型フレーム２により形成される上部の空間５内で、縦フレームの内側から水平方向に突設した。なお、情報表示器１４の設置位置は前記第１、第２実施形態に限定されるものではなく、大型のものに形成した情報表示器１４が収まる位置であれば、空間５内の任意の位置が可能である。
【図面の簡単な説明】
【００３９】
【図１】本発明の給油装置の第１実施形態を示す正面図である。
【図２】本発明の給油装置の実施形態を示す制御ブロック図である。
【図３】本発明の給油装置の動作を示すセルフサービス給油所に設置した場合のフローチャートである。
【図４】本発明の給油装置の動作を示すフルサービス給油所に設置した場合のフローチャートである。
【図５】本発明の給油装置の第２実施形態を示す正面図である。
【符号の説明】
【００４０】
１  給油装置                    ２  門型フレーム
３  給油機ケース                ４  操作パネル
５  空間                        ６  ノズル掛け
６ａ  ノズルスイッチ            ７  給油ノズル
８  給油量表示計                ８ａ  表示計駆動手段
９  給油ホース                  １０  油種選択ボタン
１１  カードリーダー            １２  タッチパネル
１３  インターフォン            １４  情報表示器
１４ａ  表示器駆動手段          １５  人体検知器
１６  車両検知器                １７  制御装置
１８  給油ポンプ                １８ａ  ポンプ駆動手段
１９  流量パルス発信器          ２０  計数手段
２１  切換手段                  ２２  サーバー
２３  ＰＯＳ                    ２４  記憶手段
【図１】
2006008229.tif 000003
【図２】
2006008229.tif 000004
【図３】
2006008229.tif 000005
【図４】
2006008229.tif 000006
【図５】
2006008229.tif 000007